【事件の表示】
　国際登録第８４１９３４号商標に係る国際商標登録出願の拒絶査定に対する審判事件について、次のとおり審決する。
【結論】
　本件審判の請求は、成り立たない。
【理由】
１　本願商標
　本願商標は、「ＡＮＥＷ」の欧文字を横書きしてなり、第３類「Ｎｏｎ−ｍｅｄｉｃａｔｅｄ　ｔｏｉｌｅｔ　ｐｒｅｐａｒａｔｉｏｎｓ；ｐｏｗｄｅｒｓ，ｃｒｅａｍｓ　ａｎｄ　ｌｏｔｉｏｎｓ，ａｌｌ　ｆｏｒ　ｔｈｅ　ｆａｃｅ，ｈａｎｄｓ　ａｎｄ　ｂｏｄｙ；ｎａｉｌ　ｐｏｌｉｓｈ；ｎａｉｌ　ｐｏｌｉｓｈ　ｒｅｍｏｖｅｒ；ｃｏｓｍｅｔｉｃｓ；ｓｏａｐｓ；ｓｈｏｗｅｒ　ａｎｄ　ｂａｔｈ　ｐｒｅｐａｒａｔｉｏｎｓ；ｐｒｅｐａｒａｔｉｏｎｓ　ｆｏｒ　ｔｈｅ　ｈａｉｒ；ｐｒｅｐａｒａｔｉｏｎｓ　ｆｏｒ　ｃｌｅａｎｉｎｇ　ｔｈｅ　ｔｅｅｔｈ；ｓｈａｖｉｎｇ　ａｎｄ　ａｆｔｅｒｓｈａｖｅ　ｐｒｅｐａｒａｔｉｏｎｓ；ｐｅｒｆｕｍｅｓ，ｃｏｌｏｇｎｅｓ，ｔｏｉｌｅｔ　ｗａｔｅｒｓ，ｅａｕ　ｄｅ　ｃｏｌｏｇｎｅｓ；ｄｅｏｄｏｒａｎｔｓ　ａｎｄ　ａｎｔｉ−ｐｅｒｓｐｉｒａｎｔｓ　ｆｏｒ　ｐｅｒｓｏｎａｌ　ｕｓｅ；ｔｏｉｌｅｔ　ａｒｔｉｃｌｅｓ；ｅｓｓｅｎｔｉａｌ　ｏｉｌｓ；ａｌｌ　ｔｈｅ　ａｆｏｒｅｓａｉｄ　ｂｅｉｎｇ　ａｌｏｎｅ，ｉｎ　ｃｏｍｂｉｎａｔｉｏｎ　ａｎｄ／ｏｒ　ｉｎ　ｇｉｆｔ　ｓｅｔｓ　ｃｏｍｐｒｉｓｅｄ　ｏｆ　ｓｏｍｅ　ｏｒ　ａｌｌ　ｏｆ　ｔｈｅｓｅ　ｉｔｅｍｓ．」及び第５類「Ｍｅｄｉｃａｔｅｄ　ｓｋｉｎ　ｃａｒｅ　ｐｒｅｐａｒａｔｉｏｎｓ；ｍｅｄｉｃａｔｅｄ　ｂａｔｈ　ｐｒｅｐａｒａｔｉｏｎｓ；ｍｅｄｉｃａｔｅｄ　ｔｏｉｌｅｔ　ｐｒｅｐａｒａｔｉｏｎｓ，ｉｎ　ｐａｒｔｉｃｕｌａｒ　ｓｋｉｎ　ｃｒｅａｍｓ，ｈａｎｄ　ｃｒｅａｍｓ　ａｎｄ　ｒｅｃｏｎｄｉｔｉｏｎｉｎｇ　ｃｒｅａｍｓ．」を指定商品として、２００３年１２月４日にＵｎｉｔｅｄ　Ｋｉｎｇｄｏｍにおいてした商標登録出願に基づいて、パリ条約第４条による優先権を主張し、２００４年６月１日に国際登録されたものである。
２　引用商標
　原査定において、本願の拒絶の理由に引用した商標は、以下のとおりである。
　（１）登録第２０９７００６号商標（以下「引用商標１」という。）は、「ＡＮＥＷ」の欧文字を横書きしてなり、昭和６１年２月５日に登録出願、第４類に属する商標登録原簿に記載のとおりの商品を指定商品として、同６３年１１月３０日に設定登録され、その後、２回にわたり商標権の存続期間の更新登録がされ、さらに、平成２１年１月７日に指定商品を第３類「せっけん類，歯磨き，化粧品，香料類」及び第３０類「食品香料（精油のものを除く。）」とする書換登録がされているものである。
　（２）登録第２２１９８８２号商標（以下「引用商標２」という。）は、「あにゅー」の文字と「アニュー」の文字とを上下二段に書してなり、昭和６２年１２月１日に登録出願、第４類「せつけん類、歯みがき、化粧品、香料類」を指定商品として、平成２年３月２７日に設定登録され、その後、平成１２年３月２１日に商標権の存続期間の更新登録がされているものである。
　（３）登録第２４８８８４２号商標（以下「引用商標３」という。）は、「ＡＮＥＷ」の欧文字を横書きしてなり、昭和６１年２月７日に登録出願、第１類に属する商標登録原簿に記載のとおりの商品を指定商品として、平成４年１２月２５日に設定登録され、その後、同１４年１２月１７日に商標権の存続期間の更新登録がされ、さらに、同１５年５月２１日に指定商品を第１類「化学品，のり及び接着剤（事務用又は家庭用のものを除く。），植物成長調整剤類」、第５類「薬剤，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，歯科用材料」及び第２１類「デンタルフロス」とする書換登録がされているものである。
　（４）登録第２５８８０３４号商標（以下「引用商標４」という。）は、「あにゅー」の文字と「アニュー」の文字とを上下二段に書してなり、昭和６２年１２月１日に登録出願、第１類に属する商標登録原簿に記載のとおりの商品を指定商品として、平成５年１０月２９日に設定登録され、その後、同１５年１０月２８日に商標権の存続期間の更新登録がされ、さらに、同１６年３月１０日に指定商品を第１類「化学品，のり及び接着剤（事務用又は家庭用のものを除く。），植物成長調整剤類」、第２類「カナダバルサム，壁紙剥離剤，コパール，サンダラック，セラック，松根油，ダンマール，媒染剤，マスチック，松脂，木材保存剤」、第３類「家庭用帯電防止剤，家庭用脱脂剤，さび除去剤，染み抜きベンジン，洗濯用柔軟剤，洗濯用漂白剤，かつら装着用接着剤，つけまつ毛用接着剤，洗濯用海草のり，洗濯用コンニャクのり，洗濯用でん粉のり，洗濯用ふのり」、第４類「固形潤滑剤」、第５類「薬剤，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，歯科用材料」、第８類「ピンセット」、第９類「耳栓」、第１０類「おしゃぶり，氷まくら，三角きん，支持包帯，手術用キャットガット，吸い飲み，スポイト，乳首，氷のう，氷のうつり，ほ乳用具，魔法ほ乳器，綿棒，指サック，避妊用具，人工鼓膜用材料，補綴充てん用材料（歯科用のものを除く。）」、第１６類「事務用又は家庭用ののり及び接着剤」、第１９類「タール類及びピッチ類」、第２１類「デンタルフロス」及び第３０類「アイスクリーム用凝固剤，家庭用食肉軟化剤，ホイップクリーム用安定剤」とする書換登録がされているものである。
　（５）登録第３２１２７７０商標（以下「引用商標５」という。）は、「環境有用微生物群（ＥＭ）」の文字と「ＡＮＥＷ」の文字とを上下二段に書してなり、、平成６年２月１８日に登録出願、第１類「化学品，植物成長調整剤類，のり及び接着剤（事務用又は家庭用のものを除く。）高級脂肪酸，工業用粉類，肥料，人工甘味料」を指定商品として、平成８年１０月３１日に設定登録されたものである。
３　当審の判断
　本願商標の拒絶の理由に引用した引用商標５の商標権は、商標登録原簿の記載によれば、平成１８年１０月３１日に存続期間満了により消滅し、同１９年７月１１日にその抹消の登録がなされている。
　そこで、本願商標と引用商標１ないし引用商標４の類否について判断するに、本願商標は、その構成文字に相応する「アニュー」の称呼を生じるものである。
　他方、引用商標１ないし引用商標４は、前記２のとおり、「ＡＮＥＷ」「あにゅー」「アニュー」のそれぞれの構成文字に相応して、いずれも「アニュー」の称呼を生じること明らかである。
　してみると、本願商標と引用商標１ないし引用商標４とは、「アニュー」の称呼を共通にする称呼上類似の商標であって、かつ、各引用商標の指定商品は、本願商標の指定商品と同一又は類似の商品が含まれていることから、本願商標が商標法第４条第１項第１１号に該当するとして本願を拒絶した原査定は、妥当であって、取り消すことはできない。
　なお、請求人（出願人）は、本件請求の理由において、「各引用商標の商標権者と、両商標が共存することの可能性について、交渉することを検討している。ついては、交渉の結果が出るまで、暫時、審決を猶予されたい。」旨述べているところ、各引用商標の商標登録原簿を徴するに、本件審判請求時から相当の期間が経過するも、請求人への移転登録や商品の不使用取消審判等に関する登録事項の記載を確認することができず、また、平成２０年４月１１日付け審尋において、この間の事情を明らかにするよう回答を求めたが、いまだ現在にいたるも、請求人はこれに何ら応じていない。
　したがって、他に本件の審理を遅滞させるべき理由はないものと認め、審理を進めることとした。
　よって、結論のとおり審決する。